(57)【特許請求の範囲】
【請求項１】
袋状フィルタの対向する濾材壁を、複数列の縫製糸で袋内空間にふくらみ代を残して縫合し、各縫製糸のふくらみ代の両端を濾材壁に接着した吹流し型フィルタにおいて、前記縫製糸による縫合部分に沿って壁材壁の外面に通気性の接着層を形成して、露出縫製糸部の全長を濾材壁に接着したことを特徴とする吹流し型フィルタ。
【請求項２】
袋状フィルタの対向する濾材壁を、複数列の縫製糸で袋内空間にふくらみ代を残して縫合し、各縫製糸のふくらみ代の両端を濾材壁に接着した吹流し型フィルタの製造方法において、前記縫製糸による縫合と同時に、縫合部分に沿って壁材壁の少なくとも一方の外面に、スパイラルノズルにより接着剤をスパイラル状に塗布して通気性の接着層を形成し、露出縫製糸部の全長を濾材壁に接着することを特徴とする吹流し型フィルタの製造方法。
【発明の詳細な説明】
【０００１】
【発明の属する技術分野】
本発明は、ビル空調及び工場空調等の空調機等に設けられる、通風時に袋状濾材が開いて濾過面積を増加する吹流し型フィルタとその製造方法に関する。
【０００２】
【従来の技術】
従来の吹流し型フィルタは、ガラス繊維、合成繊維またはこれらの組み合わせフェルトから成る濾材を図５及び図６に示す如く袋状に形成し、袋状フィルタＡの対向濾材壁ａ，ａを挿通し、袋内空間にその各挿通部でふくらみ代ｂを残して縫合した縫製糸Ｂの多数本を袋の幅方向に所定の間隔を存して平行に配設し、その各縫製糸Ｂの各ふくらみ代ｂの両端の対向濾材壁ａ，ａの挿通糸部分に接着剤ｃを施し、該接着剤ｃの乾燥または硬化により各縫製糸Ｂの各ふくらみ代ｂの両端を対向濾材壁ａ，ａに固定して製造した式のものである。かくして、この吹流し型フィルタの多数個を外枠と仕切枠から成る枠体にその各口縁部を気密に取付けて平行に配設した集塵面積の大きい多風量処理用のユニット型に構成した製品とすることが一般であり、その使用において各吹流し型フィルタＡは、図６に示すように、その空気流入により各縫製糸Ｂの所定のふくらみ代ｂが緊張するまではふくらむが、それ以上のふくらみは制限されて、相隣る吹流し型フィルタＡの接触を未然に防止し所定の良好なエアフィルタ作用を得ることができる。
【０００３】
【発明が解決しようとする課題】
上記従来の吹流し型フィルタは、各縫製糸の固定は、接着剤をふくらみ代の両端の所定位置に点状に施す必要があり、このため、接着剤を所定位置へ正確に施すことが比較的困難で、製品の品質の低下、不良等をもたらす嫌いがある等の欠点を有していた。
前記問題点を解決する方法として、特公平８−４６９９号公報において、図７及び図８に示されるように、袋状フィルタの対向する濾材壁ａ，ａを、複数列の縫製糸Ｂで袋内空間にふくらみ代ｂを残して縫合し、各縫製糸Ｂのふくらみ代ｂの両端を濾材壁ａ，ａに接着する吹流し型フィルタの製造方法において、前記縫製糸Ｂによる縫合部分に沿って濾材壁の外面に熱融着性のプラスチックテープｄを重ね、縫合後両外面のプラスチックテープｄを同時に加熱して露出縫製糸部の全長を濾材壁に接着するようにしたものが知られている。しかしながら、前記方法によれば、縫製工程が終了した後で目止め工程が行われるため、縫製糸Ｂが取り扱い中に弛んだり、或いは、張ったりして所望のふくらみ代ｂが維持できないという欠点や、縫製糸が抜ける等の欠点を有するものであった。
本発明はかかる従来の吹流し型フィルタの欠点を除去し、作業性、生産性の高い、しかも、品質のよい吹流し型フィルタとその製造方法を提供しようとするものである。
【０００４】
【課題を解決するための手段】
本発明の吹流し型フィルタは、前記目的を達成するべき、請求項１記載の通り、袋状フィルタの対向する濾材壁を、複数列の縫製糸で袋内空間にふくらみ代を残して縫合し、各縫製糸のふくらみ代の両端を濾材壁に接着した吹流し型フィルタにおいて、前記縫製糸による縫合部分に沿って壁材壁の外面に通気性の接着層を形成して、露出縫製糸部の全長を濾材壁に接着したことを特徴とする。
また、本発明の吹流し型フィルタの製造方法は、請求項２記載の通り、袋状フィルタの対向する濾材壁を、複数列の縫製糸で袋内空間にふくらみ代を残して縫合し、各縫製糸のふくらみ代の両端を濾材壁に接着した吹流し型フィルタの製造方法において、前記縫製糸による縫合と同時に、縫合部分に沿って壁材壁の少なくとも一方の外面に、スパイラルノズルにより接着剤をスパイラル状に塗布して通気性の接着層を形成し、露出縫製糸部の全長を濾材壁に接着することを特徴とする。
【０００５】
【発明の実施の形態】
本発明の吹流し型フィルタの濾材としては、ガラス繊維、合成繊維またはこれらの組み合わせフェルトを主材とし、その外面にガラス繊維、合成繊維、またはこれらの組み合わせ不織布を外被材として一体に重合したものが使用できる。
【０００６】
本発明の吹流し型フィルタの縫製糸としては、綿糸、ポリエステル糸、アラミド繊維糸等の合成樹脂繊維からなる糸が使用できる。特にポリエステル糸であれば、加工性が良好である。
【０００７】
本発明の吹流し型フィルタの袋形状は、濾材間隔３５〜５０ｍｍで入口から出口迄ほぼ一定の幅で平行なもの、或いは，濾材間隔が入口が５０〜１００ｍｍで広く、出口が閉じられた傾斜したもの等が使用できる。特に、傾斜したものであれば、フィルタの圧力損失の面で有利である。
【０００８】
本発明の吹流し型フィルタの通気性接着層の形成方法は、露出縫製糸部を幅１５〜３５ｍｍ程度の巾帯状で連続的に形成するか、或いは、間歇的に形成することができる。
前記通気性接着層は、接着剤による塗布部が完全に閉塞されず、濾材壁の通気性の大幅な低下がないものを選択する。具体的には、例えば、ホットメルト樹脂接着剤をスパイラルノズルによりスパイラル（螺旋）状に塗布することにより通気性の接着層を形成する。このようなスパイラルノズルは、螺旋を作るため、吹出穴の周囲に熱風の吹出穴が複数個設けられており、吹き出された接着層は、ホットメルト樹脂が糸状に延伸されかつスパイラル状に糸が絡んだ状態の不織布状に濾材壁上に形成される。
前記接着剤としては、ポリオレフィン、ポリエチレン、ポリアミド等のホットメルト樹脂、溶剤系の接着剤等が使用できる。特に、ＡＰＰ（軟化点１１５℃から１５０℃）ホットメルト樹脂であれば、塗布状態が良好である。
【０００９】
前記通気性接着層としては、前記スパイラル状のホットメルト樹脂によるもの以外にも、予め、ホットメルト樹脂等の熱融着性材により形成された不織布層を準備し、濾材壁の露出縫製糸部に重合した後、加熱ローラなどで加熱圧着することで形成することもできる。また、不織布層の通気性を低下させぬために、前記不織布の材質よりも低融点の熱溶融性樹脂の粉末を濾材壁の露出縫製糸部に散点状に固着することもできる。
【００１０】
尚、前記通気性接着層は、縫製直後に濾材壁の両外面に同時に形成することもできるし、濾材壁の一方の外面に形成して縫製糸のズレをまず目止めしてから、所望のフィルタの袋寸法に裁断した後、反転させて他方の外面に形成することもできる。
特に、両外面に同時に通気性接着層を形成すれば、縫製と接着剤の固化が同時にできて製造時間の短縮、工数の低減により生産効率が著しく向上する。
【００１１】
【実施例】
次に本発明の実施例を説明する。
図１乃至図３は、本発明の実施の一例の吹流し型フィルタを示し、１は袋状フィルタを示し、該袋状フィルタ１は、ガラス繊維フェルトを主材としてその外面にバックネットとしてポリエステル樹脂製合成繊維不織布を一体に重合せしめてなる濾材からなり、その袋状の口縁を除く三辺周縁は、強固に縫製結着されている。
【００１２】
この袋状フィルタ１の互いに対向する両面の濾材壁１ａ，１ａは、その袋内において、口部から底縁に向かい流入する空気流の方向に沿い、ポリエステル樹脂製縫製糸２を、これら濾材壁１ａ，１ａをジグザグ状に挿通し、袋内空間に多数個所にふくらみ代２ａを残して縫合されている。前記縫製糸は、その袋巾方向に入口側が７５ｍｍで、出口側を閉じて傾斜した間隔を設けてその複数本を、図示の例では４本を配設するようにした。図中、３は、袋状フィルタ１の底縁隅角部に取付けた吊り具を示す。
【００１３】
本発明によれば、各縫製糸２の各ふくらみ代２ａの両端を固定するために、その対向濾材壁１ａ，１ａの各壁１ａの外面に露出して一線に配列される縫製糸部２ｂ，２ｂ…上に通気性接着層４を重合し、各縫製糸２を固定するようにしたものである。
即ち、その各縫製糸２の各ふくらみ代２ａの両端をその濾材壁１ａ，１ａ面を挿通する縫製糸２の両外部で固定したものである。かくして、図２及び図３に示すように、その使用時、流入空気により袋状フィルタ１がふくらんだ時、その一定の長さに固定されたふくらみ代２ａの長さだけふくらみ、この所定のふくらみ状態で空気の浄化が行われる。
【００１４】
本発明の通気性接着剤層４は、ホットメルト樹脂の糸が絡み合っ不織布状のもので、その各縫製糸２の全長に亘り、その一縁に配列のその露出縫製糸部２ｂ，２ｂ…上に重ねて硬化すれば、従来のように、そのふくらみ代２ａの両端の挿通部毎に接着剤を施して固定する配慮や装置は不要で、容易、迅速に各縫製糸２の固定ができる。しかも、従来の接着剤の乾燥や硬化を待つ時間が省略でき、その対向濾材壁１ａ，１ａに同時に各縫製糸２の固定ができる。しかも接着層が通気性であるため、濾材の通気性を低下させることがなく低圧力損失なフィルタとなる。
【００１５】
次に、図４により製造方法を説明する。
まず、濾材１壁ａ，１ａを上下から供給して上下に重ね合わせ、縫製針５により縫製糸２を対向濾材壁１ａ，１ａに対して縫合する。次に、濾材壁１ａ，１ａの外方からホットメルト樹脂をスパイラルノズル６，６から熱風により吐出させ、ホットメルト樹脂は縫製糸部２ｂ，２ｂ上に２０ｍｍ巾で糸状物が絡んだ不織布状となって塗布されて固化され、前記ホットメルト樹脂による通気性接着層４によって該縫製糸２，２を濾材壁１ａ，１ａに固定する。
次に、所望の寸法で濾材壁１ａ，１ａを裁断し、濾材壁１ａ，１ａの側縁部７，８と末端部９を縁縫いして固定し、吊り具３，３を縫って固定して、図１乃至図３に示すような袋状フィルタ１を製造する。
【００１６】
【発明の効果】
本発明によるときは、袋状フィルタの対向する濾材壁をふくらみ代を残して縫合し、一線上に並ぶ両面の縫製糸の露出縫製糸部の全長を、通気性接着層により縫合と同時に濾材壁に固定して吹流し型フィルタを構成するので、接着剤により個々の縫目部分を片面毎に一穴ずつ固定する従来の方法に比して製造時間が短縮され、生産効率の著しい向上をもたらす。
また、本発明によるときは、濾材壁に対する露出縫製糸部の接着が通気性接着層により行われるため、濾材の通気性を阻害せず低圧力損失なフィルタ製品が得られる。
また、本発明によるときは、濾材壁に対する露出縫製糸が所定のふくらみ代を確実に保つため、隣り合うフィルタまたは部材に接触せず良好なフィルタ作用を低下させない製品が得られる。
【図面の簡単な説明】
【図１】本発明吹流し形エアフィルタの一実施の側面図
【図２】図１のI-I線断面図
【図３】本発明吹流し形エアフィルタの一実施の斜視図
【図４】本発明吹流し形エアフィルタの製造方法を示す説明線図
【図５】従来の吹流し型エアフィルタの側面図
【図６】図５のII-II線断面図
【図７】従来の吹流し型エアフィルタの側面図
【図８】図７のIII-III線断面図
【符号の説明】
１    袋状フィルタ
１ａ  濾材壁
２    縫合糸
２ａ  ふくらみ代
２ｂ  縫製糸部
３    吊り具
４    通気性接着層
【図１】
0004154550.tif 000002
【図２】
0004154550.tif 000003
【図３】
0004154550.tif 000004
【図４】
0004154550.tif 000005
【図５】
0004154550.tif 000006
【図６】
0004154550.tif 000007
【図７】
0004154550.tif 000008
【図８】
0004154550.tif 000009